(57)【特許請求の範囲】
【請求項１】
軸部と、前記軸部に支持される第１の取付片と、前記第１の取付片が接近離隔する位置に配置される第２の取付片と、を有し、前記第１の取付片が取り付けられる板材を開閉可能に連結する蝶番であって、
第１の取付片には、前記軸部に嵌合する円環枠部と、前記円環枠部から延設する第１の取付部と、前記取付部に配設されて第２の取付片側に向かって突出し傾斜面を有する係合片と、を備え、
第２の取付片は、前記軸部を挿通する長孔筒状の枠部と、前記枠部内に配設されて前記軸部を押圧可能な付勢手段と、前記枠部から延設する第２の取付部と、前記第２の取付部に配設されて前記係合片の傾斜面に係合可能な係合受け片と、を備え、
前記係合片が前記係合受け片に係合することによって、前記付勢手段を作用させて、前記軸部を前記枠部内で移動可能とすることを特徴とする蝶番。
【発明の詳細な説明】
【０００１】
【発明の属する技術分野】
この発明は、蝶番に関し、主にドアを開閉するためにドアとドア枠に装着される蝶番に関する。
【０００２】
【従来の技術】
従来、蝶番は、軸部と該軸部に支持される一対の開閉可能な取付片とを有して構成され、それぞれの取付片が開閉する一対の板材に装着される。例えば図７に示す従来の蝶番３０において、一方の取付片３２は軸部３１に固着され、他方の取付片３３は一方の取付片３２に対して上方あるいは下方に配置されて軸部３１に回動可能に嵌合されている。この蝶番３０を、例えば開閉可能なドアに装着する場合、軸部３１に固着された一方の取付片３２をドア枠の取付面（一般的に、閉じられたドアの正面側に対して直交する面）にねじを締め込むことによって装着し、軸部３１に回動可能に嵌合される他方の取付片３３をドアの幅狭状の背面（ドアの正面側に対して直交する面）にねじを締め込むことによって装着していた。
【０００３】
【発明が解決しようとする課題】
一般に、ドアの正面とドア枠の正面との間には、蝶番の軸部を中心にドアを回動するように閉めることから、その回動スペースを確保するために僅かな隙間を有することとなる。この隙間が形成されることによって、ドアの室内側と室外側との気密性が低下し、夏期の場合であれば、例えば、エアコンディショナによって冷やされた室内側の空気が外部に洩れて室内温度を上昇させたり、また、冬期の場合では、室外の冷気が室内側に入って、室内温度を下降させたりして適度な温度を維持できないこととなっていた。また、長期間の使用でドアの開閉が多くなると、軸部と取付片との間で摩耗が生じて蝶番のがたが大きくなり、この隙間はさらに大きくなっていた。
【０００４】
従来の蝶番３０では、一方の取付片３２は軸部３１に回動可能に支持されるとともに、それぞれ、複数のねじでドア又はドア枠に締め込まれていることから、ドアを閉めた後で、ドアの正面側とドア枠の正面側との隙間を調整するためには、ドアの背面又はドア枠の取付面に装着されている取付片のねじを緩めて取付位置をずらすことしか方法がなかった。しかし、この作業は手間がかかるために、容易に行なうことができなかった。
【０００５】
この発明は、上記の課題を解決するものであり、ドアを閉めた時に、ドアとドア枠との間の隙間を自動的に小さくして室内側と室外側との気密性を向上できるように構成された蝶番を提供することを目的とする。
【０００６】
【課題を解決するための手段】
この発明にかかわる蝶番では、上記の課題を解決するために、以下のように構成するものである。すなわち、軸部と、前記軸部に支持される第１の取付片と、前記第１の取付片が接近離隔する位置に配置される第２の取付片と、を有し、前記第１の取付片が取り付けられる板材を開閉可能に連結する蝶番であって、
第１の取付片には、前記軸部に嵌合する円環枠部と、前記円環枠部から延設する第１の取付部と、前記取付部に配設されて第２の取付片側に向かって突出突出し傾斜面を有する係合片と、を備え、
第２の取付片は、前記軸部を挿通する長孔筒状の枠部と、前記枠部内に配設されて前記軸部を押圧可能な付勢手段と、前記枠部から延設する第２の取付部と、前記第２の取付部に配設されて前記係合片の傾斜面に係合可能な係合受け片と、を備え、
前記係合片が前記係合受け片に係合することによって、前記付勢手段を作用させて、前記軸部を前記枠部内で移動可能とすることを特徴とするものである。
【００１０】
【発明の効果】
本発明の蝶番は、一対の板材に装着する一対の取付片の一方が軸部に対して長穴筒状の枠部を有していることから、軸部を長穴筒状の枠部内で移動可能に作用させることができる。しかも軸部は付勢手段で支持されていることから、軸部を付勢手段側に強制的に圧力を付加させることによって、軸部に固着された取付片を板材とともに移動させ、移動させた位置で安定して固定させることができる。従って、この構成によって、移動する板材、例えばドアの室外側の面を、固定側の板材、例えばドア枠の正面側に接近させることができて、ドアの室外側面とドア枠の正面側との対向する面に形成される隙間を小さくすることができ、ドアを閉めた後でドアの室内側と室外側との気密性を維持することが可能となる。
【００１１】
また、一対の取付片に、お互いに係合可能な牽引手段が設けられていれば、一方の取付片を装着した板材、例えばドアを、他方の板材、例えばドア枠の正面側に接近させることによって、一対の取付片にそれぞれ配設された牽引手段が徐々に係合して、回動する一方の板材、例えばドアを牽引する力を付加することができる。この牽引力によって、例えばドアの背面側に装着された取付片を、長穴筒状の枠部内を軸部とともに移動させることができて、移動する板材、例えばドアを、固定側の板材、例えばドア枠の正面側に接近させることができて、ドアの室外側面とドア枠の正面側との対向する面に形成される隙間を小さくすることができ、ドアを閉めた後でドアの室内側と室外側との気密性を維持することが可能となる。
【００１２】
また、長穴筒状の枠部内に配設される付勢手段が、具体的にはコイルばねを使用することから、廉価にしかも容易に長穴筒状の枠部内に挿入することができ、コイルばねの両端に係止片を配置することによって、コイルばねを安定して支持できるとともに、軸部を安定して押圧支持することができる。
【００１３】
さらに、一対の取付片に装着される牽引手段が、一方の取付片に配置して傾斜面を有する係合片で、他方の取付片に配置した受け片が傾斜面に係合可能に形成されていれば、一方の板材が他方の板材に接近することによって、受け片は傾斜面に沿って相対的に移動できることから、係合片と受け片とを徐々に係合することによって、一方の板材、例えばドアを、他方の板材、例えばドア枠に自動的に接近移動させることができる。
【００１４】
【発明の実施の形態】
以下、本発明の一実施形態を図面に基づいて説明する。本発明の蝶番は、軸部と取付板とを相対的に移動可能に構成するものであり、それによって、蝶番が装着される一方の板材が他方の板材に向かって閉じる際に、対向する面との隙間を小さくして気密性を向上しようとするものである。
【００１５】
具体的な実施形態の蝶番１０は、図１〜２に示すように、開閉可能に装着される一対の取付片（第１の取付片１２、第２の取付片１３）と、一対の取付片１２、１３とを枢着可能に連結する軸部１１とを有して構成されている。実施形態においては第１の取付片１２は開閉可能なドア１の背面１ａに取りつけられ、第２の取付片１３は、ドア枠２の取付面２ａに取り付けられる。なお、図３に示すように、ドア枠において、ドア１の室外側面１ｂに対向する正面２ｂと取付面２ａとは直交して形成されている。
【００１６】
実施形態の軸部１１は、下部に配置される大径部１１１と上部に配置される小径部１１２とを有して段付状に形成され、大径部１１１に第１の取付片１２が装着され、小径部１１２に第２の取付片１３が装着される。第１の取付片１２の下面側には円板状の底蓋１４が配置され、第２の取付片１３の上面側には長円板状の上蓋１５が配置され、第１の取付片１２と第２の取付片１３との間には小径部１１２に嵌合する中間カラー部材１６が配置されている。
【００１７】
第１の取付片１２は、図１及び図２（ｂ）に示すように、軸部１１の大径部１１１に嵌合して固着される枠部１２１と、枠部１２１から一方側に延設して矩形板状に形成される取付部１２２とを有している。取付部１２２には、ドア１に装着可能なねじを挿通するねじ通し孔１２３が複数箇所（図例では６個）形成され、さらに傾斜面１２４ａを有する係合片１２４が配置されている。
【００１８】
第２の取付片１３は、図１及び図２（ａ）に示すように、軸部１１の小径部１１２をブッシュ１７を介して挿通させるとともに水平断面が長穴状に形成される筒状の枠部１３１と、枠部１３１の一方の側から延設する矩形板状の取付部１３２とを有している。取付部１３２には、ドア枠２に装着可能なねじを挿通するねじ通し孔１３３が複数か所（図例では６か所）形成され、さらに下方には、第１の取付片１２に配置された係合片１２４に係合可能な受け片１３４を配置する突出片１３５が下方に突出して形成されている。
【００１９】
また、枠部１３１と軸部１１（又はブッシュ１７）との間には、枠部１３１内の一端（軸部１１と反対側）から軸部１１の小径部１１２を押圧する付勢体２０が配置されている。付勢体２０は、コイルばね２１と、コイルばね２１の一端が係止されて枠部１３１の一端の円弧部に係合するばね係止片２２と、コイルばね２１の他端が係止されてブッシュ１７の外周面に係合するばね係止片２３とからなり、軸部１１の小径部１１２の軸方向に対して複数箇所（図例では３か所）に配置されている。
【００２０】
なお、付勢体２０は、ばね係止片２２、２３を、上述のように分割するのではなく軸部１１の小径部１１２の軸方向長さと略同一長さにして、内部に複数個のコイルばね２１を１個のばね係止片２２、２３で係止するように配置させてもよく、また、軸部１１側のばね係止片２２をブッシュ１７に係合させるのでなく、ブッシュ１７を除いて、直接、小径部１１２の外周面に係合させてもよい。さらに、ばね係止片２２を除いて、コイルばね２１の一端を、直接、取付片１３の枠部１３１の一端に係止するように構成してもよい。
【００２１】
そして、軸部１１に第１の取付片１２を固着し、第２の取付片１３を回動可能に装着すると、図２（ｃ）に示すように蝶番１０が構成され、第１の取付片１２の取付部１２２と第２の取付片１３の取付部１３２が開閉可能に配置されるとともに、軸部１１は第２の取付片１３の枠部１３１内を付勢体２０で支持されながら移動可能に配置されることとなる。そして、この蝶番１０を図３に示すようにドア１の背面１ａとドア枠２の取付面２ａに装着する。
【００２２】
次に、蝶番１０をドア１及びドア枠２に装着した状態で、ドア１を開閉させる作用について、図３〜５に基づいて説明する。
【００２３】
図３はドア１が開いた状態にあり、この状態では軸部１１は、付勢体２０に付勢されて、第２の取付片１３の枠部１３１の一端側に押圧されている。
【００２４】
次に、開いているドア１をドア枠２に向かって徐々に閉めると、図４に示すように、ドア１に取り付けた第１の取付片１２の係合片１２４が、ドア枠２に取り付けた第２の取付片１３の受け片１３４に当接する。第１の取付片１２の係合片１２４の傾斜面１２４ａが第２の取付片１３の受け片１３４の背部当接部１３４ａに当接して、さらに係合片１２４が受け片１３４の背部当接部１３４ａを押圧すると、係合片１２４がその反力を受けて第１の取付片１２を介してドア１を、図４中、左方向に移動させる。つまり、ドア枠２は壁体に固着されていて、ドア１がドア枠２に対して回動可能に配置されていることから、蝶番１０の第１の取付片１２に取り付けられた回動可能なドア１は、軸部１１が第２の取付片１３の枠部１３１内の長穴筒内を、付勢体２０のコイルばね２１の付勢力に抗して、図４中、左方向に移動すると同時に、第１の取付片１２の取付部１２２の水平方向長手方向に沿って、ドア１の室外側面１ｂがドア枠２の正面側２ｂに接近する方向に移動することとなる。
【００２５】
さらに、ドア１をドア枠２に接近させるように回転させて閉じると、図５に示すように、第１の取付片１２の係合片１２４が第２の取付片１３の受け片１３４をさらに押圧することによって、受け片１３４の背部当接部３４ａが係合片１２４の傾斜面１２４ａに沿って係合片１２４の元部側に向かって移動される。これによって、軸部１１は付勢体２０のコイルばね２１を圧縮させる方向にさらに移動してドア１とともに、図５中、左方向に移動する。これによって上述と同様に、同時に、第１の取付片１２の取付部１２２の水平方向長手方向に沿って、ドア１の室外側面１ｂがドア枠２の正面側２ｂに接近する方向に移動することとなる。
【００２６】
上述のように、実施形態の蝶番１０は、ドア１及びドア枠２に装着する一対の取付片（第１の取付片１２、第２の取付片１３）のうち、第２の取付片１３が軸部１１に対して長穴筒状の枠部１３１を有していることから、軸部１１を長穴筒状の枠部１３１内で移動させることができる。しかも軸部１１は付勢体２０で支持されていることから、軸部１１を付勢体２０側に強制的に圧力を付加させることによって、軸部１１に固着された第１の取付片１２をドア１とともに移動させ、移動させた位置で安定して固定させることができる。従って、この構成によって、ドア１の室外側の面１ｂをドア枠２の正面側２ｂに接近させることができて、ドア１の室外側面１ｂとドア枠２の正面側２ｂとの相互に対向する面の間に形成される隙間を小さくすることができ、ドア１を閉めた後でドア１の室内側と室外側との気密性を維持することが可能となる。
【００２７】
また、第１の取付片１２には傾斜面１２４ａを有する係合片１２４が配置され、第２の取付片１３には、傾斜面１２４ａに係合可能な受け片１３４が配置されていることから、両者が係合すると同時に係合片１２４が、受け片１３４に対して、傾斜面１２４ａに沿って移動することによって、ドア１を閉めるとドア１が軸部１１とともに自動的にドア枠２の正面側２ｂ側に牽引することができる。これによってドア１の室内側と室外側との気密性が向上される。
【００２８】
しかも、この際には、軸部１１が付勢体２０のコイルばね２１を圧縮することになって、軸部１１を、係合片１２４及び受け片１３４との牽引力及びコイルばね２１の付勢力とで支持されることから、長穴筒状の枠部１３１内に挿入された軸部１１を安定した位置を確保しながら移動することになる。
【００２９】
さらに、付勢体２０が、コイルばね２１を使用することから、廉価にしかも容易に長穴状の枠部１３１内に挿入することができる。
【００３０】
なお、本発明の蝶番は、図１に示す蝶番１０の形態に限定するものではなく、例えば、図６に示すような、第１の取付片１２Ａと第２の取付片１３Ａとが、軸部１１Ａに対して同一高さの位置にあり、軸部１１に嵌合する第１の取付片１２Ａの枠部１２１Ａ及び第２の取付片１３の枠部１３１Ａが、交互に重なり合うように軸部１１Ａに嵌合されている蝶番１０Ａにおいても適応することができる。この場合、第２の取付片１３Ａの枠部１３１Ａを長円筒状に形成して、内部に付勢体２０Ａを配置すればよい。
【００３１】
また、係合片と受け片とで構成される牽引手段は、実施形態の係合片１２４及び受け片１３４に限定するものでなく、ドア１を示す際に自動的に軸部１１を移動できる構成であればよい。さらに、付勢体もコイルばね２１を使用するものではなく、弾性的に付勢力を発生する、例えば、シリンダを構成するものであってもよい。
【図面の簡単な説明】
【図１】本発明の蝶番をドア及びドア枠に装着した状態を示す正面図である。
【図２】本発明の蝶番の分解及び組付状態を示す平面図である。
【図３】蝶番を装着したドアの開閉作用（開いた状態）を示す平面断面図である。
【図４】蝶番を装着したドアの開閉作用（開閉途中）を示す平面断面図である。
【図５】蝶番を装着したドアの開閉作用（閉じた状態）を示す平面断面図である。
【図６】本発明の別の形態による蝶番を示す斜視図である。
【図７】従来の蝶番をドア及びドア枠に装着した状態を示す断面図である。
【符号の説明】
１…ドア
２…ドア枠
１０…蝶番
１１…軸部
１２…第１の取付片
１２１…枠部
１２２…取付部
１２４…係合片
１２４ａ…傾斜面
１３…第２の取付片
１３１…枠部
１３２…取付部
１３４…受け片
２０…付勢体（付勢手段）
２１…コイルばね
２２…ばね係止片
２３…ばね係止片
【図１】
0003747406.tif 000002
【図２】
0003747406.tif 000003
【図３】
0003747406.tif 000004
【図４】
0003747406.tif 000005
【図５】
0003747406.tif 000006
【図６】
0003747406.tif 000007
【図７】
0003747406.tif 000008